(57)【要約】【課題】人の頭部のサイズ・形状に応じてキャップ体を調整することができる上、見た目も良い電極キャップを提供する。【解決手段】電極キャップはキャップ体１、ベースボディ２、嵌着部３及びプローブ電極４を備える。キャップ体１は人の頭部の形状に合わせて成形可能であるとともに、右係合部１０及び左係合部１１を有する。右係合部１０及び左係合部１１の上縁接合面には互いに係合する凹槽及び環状中空凸部がそれぞれ設けられる。右係合部１０は右係合部上ハウジング１０１及び右係合部下ハウジング１０２を有する。左係合部１１は左係合部上ハウジング１１１及び左係合部下ハウジング１１２を有する。右係合部下ハウジング１０２は連杆が凹槽内に配設されるとともに、中空凸部内に貫通されて軸受状態にある。左係合部下ハウジング１１２には伸縮ばねを掛止する左係合部下ハウジングフック部が設けられる。【選択図】図１
0003213870.tif 000002
【実用新案登録請求の範囲】
【請求項１】
キャップ体、ベースボディ、嵌着部及びプローブ電極を備えた電極キャップであって、
前記キャップ体は、人の頭部の形状に合わせて成形されるとともに、右係合部及び左係合部を有し、前記右係合部及び前記左係合部の上縁接合面には、互いに係合する凹槽及び環状中空凸部がそれぞれ設けられ、前記右係合部は、右係合部上ハウジング及び右係合部下ハウジングを有し、前記左係合部は、左係合部上ハウジング及び左係合部下ハウジングを有し、前記右係合部下ハウジングは、連杆が凹槽内に配設されるとともに、前記中空凸部内に貫通して軸受状態にあり、前記左係合部下ハウジングには、伸縮ばねを掛止する左係合部下ハウジングフック部が設けられ、複数の前記伸縮ばねの一端が前記連杆に係合され、他端が前記左係合部下ハウジングフック部に掛合され、前記右係合部と前記左係合部とが連結され、電極キャップ体が左右に収納されると、前記連杆が前方へ延ばされ、前記凸部が前記凹槽内へ嵌入されて固定され、前記右係合部下ハウジング及び前記左係合部下ハウジングの２つの前側部の前後には、右係合部下ハウジング内縁向きフック部及び左係合部下ハウジング内縁向きフック部がそれぞれ設けられ、前後各２つの前記右係合部下ハウジング内縁向きフック部及び前記左係合部下ハウジング内縁向きフック部がベースボディばねと前記ベースボディとの間に掛合され、前記右係合部上ハウジング及び前記左係合部上ハウジングの外側の上縁面には、右伸縮レバー及び左伸縮レバーがそれぞれ配設され、前記キャップ体の左右両耳に設けられた右外蓋及び左外蓋まで延ばされ、前記右外蓋及び前記左外蓋の前後が前周部及び後周部の一端に挿入され、周部ばねとギヤセットとが結合されて伸縮され、前記右係合部の側面に形成された右係合部側面導線孔と、前記左係合部の側面に形成された左係合部側面導線孔とに導線が挿通されてプローブ電極に接続され、前記導線の他端は、ホストに挿設された接続装置に接続され、
前記ベースボディのばねの前後は、前記右係合部下ハウジング内縁向きフック部及び前記左係合部下ハウジング内縁向きフック部にそれぞれ掛合され、中間に設けられた支点が前記キャップ体内縁面の前記右係合部下ハウジングの前側辺と前記左係合部下ハウジングの前側辺とに接続されることにより、前記ベースボディがシーソーのような動作を可能にし、
前記嵌着部は、人の頭部の頭頂葉の関心領域に対応するように、前記キャップ体及び前記ベース内縁面の全面に複数設けられ、
前記プローブ電極は、前記嵌着部に埋設されることを特徴とする電極キャップ。
【考案の詳細な説明】
【技術分野】
【０００１】
本考案は、電極キャップに関し、特に、簡便で、高効果、実用的かつ運用が完全な電極キャップ構造であり、健康管理などに運用し、電流により大脳皮質を刺激し、キャップ体は、内部に伸縮ばねが設けられるとともに、２つの左右係合部と２つの前後周部とが組み合わされた構造からなり、結合して使用する際、キャップ体を人の頭部のサイズ、形状に応じて調整することができる電極キャップに関する。
【背景技術】
【０００２】
経頭蓋直流電気刺激法（ｔＤＣＳ）は、非侵襲的治療法であり、多くの医学研究に広く応用され、大脳皮質塑性に対する研究は、経頭蓋直流電気刺激に頼り、頭皮上に貼った乾湿性電極片から電流を入力して大脳皮質を刺激し、人の頭部の頭頂葉の特定の大脳皮質領域の機能に干渉させ、脳部及び疾病の研究を行っていた。
【０００３】
また、従来の経頭蓋直流電気刺激法（ｔＤＣＳ）のほとんどは、複数の電極体を人の頭部上に設置して通電し、治療を長期間行っていた。
【０００４】
従来の経頭蓋直流電気刺激法（ｔＤＣＳ）は、実際に使用する際、電極片を適宜設置する位置を探す必要があり、不便であるという問題点があった。この問題点に鑑み、本考案者は、電極キャップにより電極片の位置を固定し、規格化された電気治療の効果が得られる特許文献１を開発した。
【０００５】
しかし、特許文献１のキャップ体は、使用者の頭部のサイズに応じてサイズを変えることはできなかった。そのため、上述したような従来技術の問題点を改善するために、より多くの技術的な選択肢が得られる具体的な改善が求められていた。
【先行技術文献】
【特許文献】
【０００６】
【特許文献１】台湾実用新案公告第Ｍ４７４５３０号公報
【考案の概要】
【考案が解決しようとする課題】
【０００７】
本考案の主な目的は、従来の経頭蓋直流電気刺激法（ｔＤＣＳ）の欠点を改善し、伸縮ばねをキャップ体の周囲に連結し、キャップ体を必要に応じて直交する２つの方向で拡大・縮小することができるという利点を有し、人の頭部のサイズ・形状に応じてキャップ体が調整し得る上、見た目も良い、電極キャップを提供することにある。
本考案のもう一つの目的は、構造が簡素で高効果で、使用者のニーズを満たす、電極キャップを提供することにある。
【課題を解決するための手段】
【０００８】
上記課題を解決するために、本考案の第１の形態によれば、キャップ体、ベースボディ、嵌着部及びプローブ電極を備えた電極キャップであって、前記キャップ体は、人の頭部の形状に合わせて成形可能であるとともに、右係合部及び左係合部を有し、前記右係合部及び前記左係合部の上縁接合面には、互いに係合する凹槽及び環状中空凸部がそれぞれ設けられ、前記右係合部は、右係合部上ハウジング及び右係合部下ハウジングを有し、前記左係合部は、左係合部上ハウジング及び左係合部下ハウジングを有し、前記右係合部下ハウジングは、連杆が凹槽内に配設されるとともに、前記中空凸部内に貫通されて軸受状態にあり、前記左係合部下ハウジングには、伸縮ばねを掛止する左係合部下ハウジングフック部が設けられ、複数の前記伸縮ばねの一端が前記連杆に係合され、他端が前記左係合部下ハウジングフック部に掛合され、前記右係合部と前記左係合部とが連結され、電極キャップ体が左右に収納されると、前記連杆が前方へ延ばされ、前記凸部が前記凹槽内へ嵌入されて固定され、前記右係合部下ハウジング及び前記左係合部下ハウジングの２つの前側部の前後には、右係合部下ハウジング内縁向きフック部及び左係合部下ハウジング内縁向きフック部がそれぞれ設けられ、前後各２つの前記右係合部下ハウジング内縁向きフック部及び前記左係合部下ハウジング内縁向きフック部がベースボディばねと前記ベースボディとの間に掛合され、前記右係合部上ハウジング及び前記左係合部上ハウジング外側の上縁面には、右伸縮レバー及び左伸縮レバーがそれぞれ配設され、前記キャップ体の左右両耳に設けられた右外蓋及び左外蓋まで延ばされ、前記右外蓋及び前記左外蓋の前後が前周部及び後周部の一端に挿入され、周部ばねとギヤセットとが結合されて伸縮され、前記右係合部の側面に形成された右係合部側面導線孔と、前記左係合部の側面に形成された左係合部側面導線孔とに導線が挿通されてプローブ電極に接続され、前記導線の他端は、ホストに挿設された接続装置に接続され、前記ベースボディの前記ベースボディばね前後は、前記右係合部下ハウジング内縁向きフック部及び前記左係合部下ハウジング内縁向きフック部にそれぞれ掛合され、中間に設けられた支点が前記キャップ体内縁面の前記右係合部下ハウジングの前側辺と前記左係合部下ハウジングの前側辺とに接続されているため、前記ベースボディがシーソーのように可動し、前記嵌着部は、人の頭部の頭頂葉の関心領域に対応するように、前記キャップ体及び前記ベース内縁面の全面に複数設けられ、前記プローブ電極は、前記嵌着部に埋設されることを特徴とする電極キャップが提供される。
【考案の効果】
【０００９】
本考案の電極キャップは、キャップ体内部に設けた伸縮ばねを介し、キャップ体は２つの左右係合部と２つの前後周部とが組み合わされた構造からなり、結合して使用する際、様々な人が被れるように、キャップ体を頭部のサイズ、形状に応じて調整することができるため、電極片の適切な設置位置を探さなければならないという従来技術の不便さを解消するとともに、性能が理想的でなかった問題点も改善され、伸縮ばねをキャップ体の周囲に連結し、キャップ体を必要に応じて直交する２つの方向で拡大・縮小することができるという利点を有し、導線が導き出されるホストの電気刺激発生器が発生させる電力を運用し、導線を介して複数の嵌着部に取り付けたプローブ電極により電気刺激を発生させ、使用者の頭部の頭頂葉の特定の大脳皮質領域に干渉し、使用するときの効率が高く、適性・実用性が高く、身体の筋肉が硬くなったり痛くなったりした部位を治したり、疾病にかかったりすることを防ぐことができる。
【図面の簡単な説明】
【００１０】
【図１】図１は、本考案の一実施形態に係る電極キャップを示す斜視図である。
【図２】図２は、本考案の一実施形態に係る電極キャップを示す上面図である。
【図３】図３は、本考案の一実施形態に係る電極キャップを示す底面図である。
【図４】図４は、本考案の一実施形態に係る電極キャップのベースボディ２及び右係合部下ハウジング１０２を示す底面図である。
【図５】図５は、本考案の一実施形態に係る電極キャップのベースボディ２及び左係合部下ハウジング１１２を示す底面図である。
【図６】図６は、本考案の一実施形態に係る電極キャップの右外蓋１０６と、前周部１２及び後周部１３とを示す側面図である。
【図７】図７は、本考案の一実施形態に係る電極キャップの左外蓋１１６と、前周部１２及び後周部１３とを示す側面図である。
【図８】図８は、本考案の第１実施形態に係る電極キャップを示す上面図である。
【図９】図９は、本考案の第２実施形態に係る電極キャップが引き離された状態を示す上面図である。
【図１０】図１０は、本考案の一実施形態に係る電極キャップのベースボディ２及び右係合部下ハウジング１０２を示す側面断面図である。
【図１１】図１１は、本考案の一実施形態に係る電極キャップの右外蓋１０６と前周部１２及び後周部１３とを示す側面図である。
【図１２】図１２は、本考案の一実施形態に係る電極キャップの右外蓋１０６と前周部１２及び後周部１３とが引き離された状態を示す側面図である。
【図１３】図１３は、本考案の一実施形態に係る電極キャップが左右に引き離された状態を示す斜視図である。
【図１４】図１４は、本考案の一実施形態に係る電極キャップが左右前後に引き離された状態を示す斜視図である。
【考案を実施するための形態】
【００１１】
以下、本考案の実施形態について図に基づいて説明する。なお、これによって本考案が限定されるものではない。
【００１２】
図１〜図７を参照する。図１〜図７に示すように、本考案の一実施形態に係る電極キャップは、少なくともキャップ体１、ベースボディ２、嵌着部３及びプローブ電極４から構成されてなる。
【００１３】
キャップ体１は、人の頭部の形状に合わせて成形可能であるとともに、右係合部１０及び左係合部１１を有する。右係合部１０及び左係合部１１の上縁接合面には、互いに係合する凹槽１００及び環状中空凸部１１０がそれぞれ設けられる。右係合部１０は、右係合部上ハウジング１０１及び右係合部下ハウジング１０２を有する。左係合部１１は、左係合部上ハウジング１１１及び左係合部下ハウジング１１２を有する。右係合部下ハウジング１０２は、連杆１０３が凹槽１００内に配設されるとともに、中空凸部１１０内に貫通されて軸受状態となっている。左係合部下ハウジング１１２には、伸縮ばね６を掛止する左係合部下ハウジングフック部１１３が設けられ、複数の伸縮ばね６の一端が連杆１０３に係合され、他端が左係合部下ハウジングフック部１１３に掛合され、右係合部１０と左係合部１１とが連結される。電極キャップ体が左右に収納されると、連杆１０３が前方へ延ばされ、中空凸部１１０が凹槽１００内へ嵌入されて固定される。右係合部下ハウジング１０２及び左係合部下ハウジング１１２の２つの前側部の前後には、右係合部下ハウジング内縁向きフック部１０４及び左係合部下ハウジング内縁向きフック部１１４がそれぞれ設けられ、前後各２つの右係合部下ハウジング内縁向きフック部１０４及び左係合部下ハウジング内縁向きフック部１１４がベースボディばね２０とベースボディ２との間に掛合される。右係合部上ハウジング１０１及び左係合部上ハウジング１１１外側の上縁面には、右伸縮レバー１０５及び左伸縮レバー１１５がそれぞれ配設され、キャップ体の左右両耳に設けられた右外蓋１０６及び左外蓋１１６まで延ばされ、右外蓋１０６及び左外蓋１１６の前後が前周部１２及び後周部１３の一端に挿入され、周部ばね１３０とギヤセット１３１とが結合されて伸縮され、右係合部の側面に形成された右係合部側面導線孔１０７と、左係合部の側面に形成された左係合部側面導線孔１１７とに導線５が挿通されてプローブ電極４に接続される。導線５の他端は、ホストに挿設された接続装置に接続される。
【００１４】
ベースボディ２のベースボディばね２０前後は、右係合部下ハウジング内縁向きフック部１０４及び左係合部下ハウジング内縁向きフック部１１４にそれぞれ掛合され、中間に設けられた支点２１がキャップ体内縁面の右係合部下ハウジング１０２の前側辺と左係合部下ハウジング１１２の前側辺とに接続されているため、ベースボディ２がシーソーのように可動する。
【００１５】
嵌着部３は、人の頭部の頭頂葉の関心領域に対応するように、キャップ体及びベース内縁面の全面に複数設けられている。
【００１６】
プローブ電極４は、嵌着部３に埋設される。
【００１７】
続いて、図８〜図１４を参照する。図８〜図１４に示すように、本考案の電極キャップは、キャップ体１内部に設けられた伸縮ばね６を有する上、キャップ体１の右係合部１０及び左係合部１１が、前周部１２及び後周部１３に組み合わされるが、その構造は簡素で高い効果を有する上、使用者のニーズを満たし、得られる効果が高い利点があり、伸縮ばね６及び周部ばね１３０によりキャップ体１の右係合部１０及び左係合部１１が前周部１２及び後周部１３に連結されるため、必要に応じてキャップ体１を直交する２つの方向で拡大・縮小させることができ、人の頭部のサイズ・形状に応じてキャップ体を調整し得る上、見た目も良い。
【００１８】
上述した部材の組み合わせにより、使用する際、キャップ体１は、人の頭部のサイズ・形状に基づき、伸縮ばね６、周部ばね１３０及びベースボディばね２０を利用し、様々な人が被れるようにキャップ体１を頭部のサイズ・形状に応じて調整することができるため、従来、電極片の適切な設置位置を探さなければならない不便さにより、性能が理想的でなかった問題点が改善され、伸縮ばね６及び周部ばね１３０によりキャップ体の右係合部１０、左係合部１１、前周部１２及び後周部１３が連結され、キャップ体１は、必要に応じて直交する２つの方向で拡大・縮小し、電極の品質が好ましいという長所が得られる上、導線が導き出されるホストの電気刺激発生器が発生させる電力を運用し、導線５を介して複数の嵌着部３に取り付けたプローブ電極４により電気刺激を発生させ、使用者の頭部の頭頂葉の特定の大脳皮質領域に干渉し、使用するときの効率が高く、適性・実用性が高く、身体の筋肉が硬くなったり痛くなったりした部位を治したり、疾病にかかったりすることを防ぐことができる。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１      キャップ体
２      ベースボディ
３      嵌着部
４      プローブ電極
５      導線
６      伸縮ばね
１０    右係合部
１１    左係合部
１２    前周部
１３    後周部
２０    ベースボディばね
２１    支点
１００  凹槽
１０１  右係合部上ハウジング
１０２  右係合部下ハウジング
１０３  連杆
１０４  右係合部下ハウジング内縁向きフック部
１０５  右伸縮レバー
１０６  右外蓋
１０７  右係合部側面導線孔
１１０  中空凸部
１１１  左係合部上ハウジング
１１２  左係合部下ハウジング
１１３  左係合部下ハウジングフック部
１１４  左係合部下ハウジング内縁向きフック部
１１５  左伸縮レバー
１１６  左外蓋
１１７  左係合部側面導線孔
１３０  周部ばね
１３１  ギヤセット
【図１】
0003213870.tif 000003
【図２】
0003213870.tif 000004
【図３】
0003213870.tif 000005
【図４】
0003213870.tif 000006
【図５】
0003213870.tif 000007
【図６】
0003213870.tif 000008
【図７】
0003213870.tif 000009
【図８】
0003213870.tif 000010
【図９】
0003213870.tif 000011
【図１０】
0003213870.tif 000012
【図１１】
0003213870.tif 000013
【図１２】
0003213870.tif 000014
【図１３】
0003213870.tif 000015
【図１４】
0003213870.tif 000016